(57)【特許請求の範囲】
【請求項１】
シールド電線を接続する一方のコネクタ外周にロック部材と半径方向に可撓する弾性部材とを備え、前記ロック部材が嵌合時に他方の相手コネクタ内周に設けられた溝部に係合されると共に、前記弾性部材が前記相手コネクタ内周面に当接されるコネクタのロック機構において、
前記一方のコネクタの外周上の前記ロック部材の側部に、嵌合方向に前下りの傾斜面を有し、前記相手コネクタとの嵌合時に該相手コネクタの内周面に当接する複数のテーパ状リブが設けられていることを特徴とするコネクタのロック機構。
【請求項２】
シールド電線を接続する雄コネクタ外周の弾性片先端に設けられたロック用突起と半径方向に可撓するバネを突出させ、前記ロック用突起が接続時に雌コネクタのジャックスリーブ内周に設けられたロック溝に係合されると共に、前記バネが前記ジャックスリーブ内周面に当接されるコネクタのロック機構において、
前記雄コネクタ外周の前記ロック用突起の側部に嵌合方向に前下りの傾斜面を有する複数のリブが設けられており、前記傾斜面が前記ロック溝先端の内径面に係合することを特徴とするコネクタのロック機構。
【発明の詳細な説明】
【０００１】
【発明の属する技術分野】
本発明は、自動車等に搭載されるオーディオ機器等のアンテナプラグジャックの電気的接続に使用されるシールド電線を接続するためのコネクタのロック機構に関する。
【０００２】
【従来の技術】
従来からシールド電線を接続するためのコネクタのロック機構に関しては、図４及び図５に示されているような種々なものが知られている。
図４に示したように、従来のコネクタのロック機構５１は、アンテナプラグジャック等のシールド電線Ｗ１、Ｗ２を接続する雄コネクタ５２外周の弾性片５３の先端に設けられたロック用突起５４と、半径方向に可撓するバネ５５とを突出させている。また、上記ロック用突起５４を接続時に雌コネクタ７１のジャックスリーブ７２内周に設けられたロック溝７３に係合させて雄コネクタ５２と雌コネクタ７１との接続状態がロックされると共に、上記バネ５５がジャックスリーブ７２内周面に当接されてシールド接続が行われる。
【０００３】
さらに詳しくは、雄コネクタ５２は先端の丸棒状の雄型端子５６が例えばナイロン等の非導電材からなる雄ハウジング５７に支持され、該ハウジング５７の外側にはシールド部材５８が嵌め込まれている。このシールド部材５８は先端を残して軸方向に複数の切り込みが設けられ、後端を外側に引き起こして上記バネ５５と弾性片５３が形成されている。この弾性片５３の後端外側には前述したようにロック用突起５４が設けられている。
【０００４】
また、シールド部材５８の後部にはシールド編組加締部５９と電線加締部６０が有り、各々シールド編組６１及びシールド電線Ｗ１が締め付けられている。そして、シールド電線Ｗ１の先端からは芯線６２が延伸され、上記雄型端子５６先端に接続固定されている。
また、シールド部材５８の外側は軸方向に摺動可能な合成樹脂製のスライド部材６３で覆われている。このスライド部材６３には上記弾性片５３及びバネ５５が外側に張り出し可能なように切り欠き６４、６５が設けられている。
【０００５】
次に、雌コネクタ７１は、中心の雌型端子７４が、一体的に形成された接続バネ７５で上記雄型端子５６を押圧して電気的に接続されると共に、一体的に設けられたＬ字金具７６が雌側のシールド電線Ｗ２の芯線７７に接続固定されている。また、上記雌型端子７４はナイロン等の非導電材製の筒状の雌ハウジング７８に嵌入されており、該雌ハウジング７８はシールド部材としてのジャックスリーブ７２で覆われている。このジャックスリーブ７２の後部にはシールド編組加締部７９と電線加締部８０が設けられており、各々シールド編組６１とシールド電線Ｗ２を加締めている。
更に、ジャックスリーブ７２の先端部内側にはロック溝７３が形成されており、上記ロック用突起５４が係合される。そして、ジャックスリーブ７２の外側は合成樹脂製の絶縁外筒８１で覆われている。
【０００６】
上記構成のコネクタのロック機構５１においては、雄コネクタ５２のスライド部材６３後部と雌コネクタ７１の絶縁外筒８１を持って雄コネクタ５２を雌コネクタ７１内に挿入する。この時、雄型端子５６は雌型端子７４の接続バネ７５に押圧されて電気的に接続されると共に、ロック用突起５４は弾性片５３に押圧されてロック溝７３内に係合され、雄コネクタ５２は雌コネクタ７１にロックされる。
また、バネ５５はジャックスリーブ７２の内面を押圧するから雄側のシールド部材５８は雌側のシールド部材としてのジャックスリーブ７２に電気的に接続される。従って、接続された雄コネクタ５２と雌コネクタ７１はシールドされ、その外側には非導電製の絶縁外筒８１及びスライド部材６３で覆われているので、予期しない他の電極や電線等に接触しても短絡を起こすことはない。
【０００７】
次に、雄コネクタ５２と雌コネクタ７１の接続を解除するには、シールド部材５８と絶縁外筒８１とを持って引き離すと、先ずスライド部材５８だけが離反方向へ少し移動する。これにより、上記切り欠き６４の前端が弾性片５３を軸心方向へ押し込んでロック用突起５４をロック溝７３から解除すると共に、上記切り欠き６５前端がバネ５５をジャックスリーブ７２内面から引き離す。よって、更に引き離すと雄コネクタ５２全体が引き離され、雄型端子５６は雌型端子７４から解除されて解除作業が完了される。
【０００８】
【発明が解決しようとする課題】
しかしながら、上記従来のコネクタのロック機構５１においては、雄コネクタ５２のバネ５５がジャックスリーブ７２内面に接触しているため、雄コネクタ５２のスライド部材６３とジャックスリーブ７２との間には隙間が生じている。
従って、図５に示したように、ロック解除させるときに雄コネクタ５２がこじられてジャックスリーブ７２内で、例えば角度αだけ傾くと、ロック用突起５４がロック溝７３に強く嵌まり込み、解除できなくなるという問題があった。
また、逆にロック用突起５４がロック溝７３から離れると、ロックが外れてしまうという問題があった。
【０００９】
本発明に係わる課題は、上記問題点に鑑みてなされたものであり、嵌合接続された一組のコネクタがこじられて傾いても、コネクタ離脱時の解除力が増大したり、コネクタ嵌合時の嵌合力が減少したりしないコネクタのロック機構を提供することである。
【００１０】
【課題を解決するための手段】
本発明に係わる上記課題は、シールド電線を接続する一方のコネクタ外周にロック部材と半径方向に可撓する弾性部材とを備え、前記ロック部材が嵌合時に他方の相手コネクタ内周に設けられた溝部に係合されると共に、前記弾性部材が前記相手コネクタ内周面に当接されるコネクタのロック機構において、前記一方のコネクタの外周上の前記ロック部材の側部に、嵌合方向に前下りの傾斜面を有し、前記相手コネクタとの嵌合時に該相手コネクタの内周面に当接する複数のテーパ状リブが設けられていることを特徴とするコネクタのロック機構によって解決することができる。
上記構成のコネクタのロック機構によれば、コネクタ接続時にリブが相手コネクタ内周面に当接するから振動等の外力による両コネクタのこじりを確実に防止できる。従って、コネクタ離脱時の離脱力が増大したり、コネクタ嵌合時の嵌合力が減少したりすることはなく、コネクタの嵌合及び離脱作業の作業性と該コネクタの信頼性を向上させることができる。
【００１１】
また、本発明に係わる上記課題は、シールド電線を接続する雄コネクタ外周の弾性片先端に設けられたロック用突起と半径方向に可撓するバネを突出させ、前記ロック用突起が接続時に雌コネクタのジャックスリーブ内周に設けられたロック溝に係合されると共に、前記バネが前記ジャックスリーブ内周面に当接されるコネクタのロック機構において、前記雄コネクタ外周の前記ロック用突起の側部に嵌合方向に前下りの傾斜面を有する複数のリブが設けられており、前記傾斜面が前記ロック溝先端の内径面に係合することを特徴とするコネクタのロック機構によって解決することができる。
【００１２】
前記構成のコネクタのロック機構によれば、雄コネクタ外周のロック用突起の側部に嵌合方向に前下りの傾斜面を有する複数のリブが設けられており、傾斜面がロック溝先端の内径面に係合するので、コネクタ接続時にリブがジャックスリーブ内周面に当接するから振動等の外力によるコネクタのこじりを確実に防止することができる。
従って、上述したようにコネクタ離脱時の離脱力が増大したり、コネクタ嵌合時の嵌合力が減少したりすることはなく、コネクタの嵌合及び離脱作業の作業性と該コネクタの信頼性を向上させることができる。
【００１３】
【発明の実施の形態】
以下、本発明のコネクタのロック機構の一実施形態を図１乃至図３に基づいて詳細に説明する。図１は本発明のコネクタのロック機構の一実施形態を示す縦断面図、図２は図１における雄コネクタの斜視図、図３は図１における雄コネクタの縦断面図である。
本実施形態のコネクタのロック機構１は、アンテナプラグジャック等のシールド電線Ｗ１、Ｗ２を接続する雄コネクタ２外周の弾性片３先端に設けられたロック用突起４と、半径方向に可撓するバネ５とが突出されている。また、上記ロック用突起４が雌コネクタ２１のジャックスリーブ２２内周に設けられたロック溝２３に係合され、雄コネクタ２と雌コネクタ２１との接続状態がロックされると共に、上記バネ５がジャックスリーブ２２内周面に当接することでシールド接続が行われる。
【００１４】
さらに詳しくは、雄コネクタ２は先端の丸棒状の雄型端子６が、例えばナイロン等の非導電材からなる雄ハウジング７に支持され、該雄ハウジング７の外側にはシールド部材８が嵌め込まれている。このシールド部材８は先端を残して軸方向に長い複数の切り込みが設けられ、後端が外側に引き起こされて上記バネ５と弾性片３が形成されている。この弾性片３の後端外側には前述したようにロック用突起４が設けられている。
【００１５】
また、シールド部材８の後部には、シールド編組加締部９と電線加締部１０が有り、各々シールド編組１１及びシールド電線Ｗ１が締め付けられている。そして、シールド電線Ｗ１の先端から芯線１２が延伸され、上記雄型端子６先端に例えば半田付け等により接続固定されている。
また、シールド部材８の外側には、軸方向に摺動可能な合成樹脂製のスライド部材１３で覆われている。このスライド部材１３には、上記弾性片３及びバネ５が外側に張り出し可能なように切り欠き１４、１５が設けられている。
【００１６】
更に、本実施形態の特徴的な構成は、雄コネクタ２外周のロック用突起４の側部のスライド部材１３には嵌合方向に前下りの傾斜面１７を有する複数のリブ１６が設けられていることである。
【００１７】
次に、雌コネクタ２１は、中心の雌型端子２４が、一体的に形成された接続バネ２５で上記雄型端子６を押圧して電気的に接続されると共に、一体的に設けられたＬ字金具２６が雌側のシールド電線Ｗ２の芯線２７に半田付け等により接続固定されている。
また、上記雌型端子２４はナイロン等の非導電材製の筒状の雌ハウジング２８内に嵌入されており、該雌ハウジング２８はシールド部材としてのジャックスリーブ２２で覆われている。このジャックスリーブ２２の後部には、シールド編組加締部２９と電線加締部部３０が設けられており、各々シールド編組とシールド電線Ｗ２を加締めている。
更に、ジャックスリーブ２２の先端部内側には、ロック溝２３が形成されており、上記ロック用突起４が係合されるようになっている。そして、ジャックスリーブ２２の外側は、合成樹脂製の絶縁外筒３１で覆われている。
【００１８】
上記構成のコネクタのロック機構１においては、雄コネクタ２のスライド部材１３後部と雌コネクタ２１の絶縁外筒３１を持って雄コネクタ２を雌コネクタ２１内に挿入する。これにより、雄型端子６が雌型端子２４の接続バネ２５に接触して電気的に接続されると共に、ロック用突起４が弾性片３に押圧されてロック溝２３内に係合され、雄コネクタ２は雌コネクタ２１にロックされる。
【００１９】
また、バネ５がジャックスリーブ２２の内面に当接して押圧するので、雄側のシールド部材８が雌側のシールド部材としてのジャックスリーブ２２に電気的に接続され、接続された雄コネクタ２と雌コネクタ２１はシールドされる。
更に、その外側は非導電製の絶縁外筒３１及びスライド部材１３で覆われているので、他の電極や電線等が接触しても短絡を起こすことはない。
【００２０】
本実施形態のコネクタのロック機構１にける特徴的な作用は、一組の雌雄コネクタ２、２１が接続されると、上記複数のリブ１６の傾斜面１７がジャックスリーブ２２のロック溝２３先端の内径面に当接して食い込むので、両コネクタ２、２１のロック用突起４の軸心は一致する。
この時、リブ１６とロック用突起４のための切り欠き１４とは円周方向にずれているから互いに干渉することはなく、ロック用突起４とロック溝２３との係合及びバネ５とジャックスリーブ２２の内周面との接触圧は平均化されて極端な増減は起きない。
【００２１】
次に、雄コネクタ２と雌コネクタ２１の接続状態を解除して離脱させる場合は、シールド部材８と絶縁外筒３１とを持って引き離すと、先ずスライド部材１３だけが離反方向へ少し移動する。これにより、上記切り欠き１４の前端が弾性片３を軸心方向へ押し込んでロック用突起４をロック溝２３から解除すると共に、上記切り欠き１５前端がバネ５をジャックスリーブ２２内面から引き離す。
従って、更に引き離すと雄コネクタ２全体が引き離され、雄型端子６は雌型端子２４から離反されて離脱作業が完了する。
【００２２】
上述したように本実施形態のコネクタのロック機構１においては、雄コネクタ２外周のロック用突起４の側部に嵌合方向に前下りの傾斜面１７を有する複数のリブ１６が設けられているので、両コネクタ２、２１の嵌合時にリブ１６がジャックスリーブ２２先端の内周面に当接され、振動等の外力による両コネクタ２、２１のこじりは発生しない。従って、コネクタ離脱時の離脱力が増大したり、コネクタ嵌合時の嵌合力が減少したりすることはなく、両コネクタ２、２１の嵌合及び離脱作業時の作業性と両コネクタの信頼性を向上させることができる。
【００２３】
【発明の効果】
以上説明したように本発明のコネクタのロック機構によれば、一方のコネクタの外周上のロック部材の側部に、嵌合方向に前下りの傾斜面を有し、相手コネクタとの嵌合時に該相手コネクタの内周面に当接する複数のテーパ状リブが設けられているので、コネクタ接続時にリブが相手コネクタ内周面に当接するから振動等の外力による両コネクタのこじりを確実に防止できる。
従って、コネクタ離脱時の離脱力が増大したり、コネクタ嵌合時の嵌合力が減少したりすることはなく、コネクタの嵌合及び離脱作業の作業性と該コネクタの信頼性を向上させることができる。
【００２４】
また、雄コネクタ外周のロック用突起の側部に嵌合方向に前下りの傾斜面を有する複数のリブが設けられており、傾斜面がロック溝先端の内径面に係合するので、両コネクタ嵌合時にリブが相手コネクタの先端内周面に当接することで、振動等の外力による両コネクタのこじりを確実に防止することができる。
従って、上述したように両コネクタの嵌合及び離脱作業時の作業性と両コネクタの信頼性を向上させることができる。
【図面の簡単な説明】
【図１】本発明のコネクタのロック機構の一実施形態を示す縦断面図である。
【図２】図１における雄コネクタの斜視図である。
【図３】図１における雄コネクタの縦断面図である。
【図４】従来のコネクタのロック機構の一例を示す縦断面図である。
【図５】図４における作動説明図である。
【符号の説明】
１  コネクタのロック機構
２  雄コネクタ（一方のコネクタ）
３  弾性片
４  ロック用突起（ロック部材）
５  バネ（弾性部材）
６  雄型端子
７  雄ハウジング
８  シールド部材
１３  スライド部材
１６  リブ
１７  傾斜面
２１  雌コネクタ（他方のコネクタ）
２２  ジャックスリーブ
２３  ロック溝（溝部）
２４  雌型端子
２８  雌ハウジング
Ｗ１、Ｗ２  シールド電線
【図１】
0003755716.tif 000002
【図２】
0003755716.tif 000003
【図３】
0003755716.tif 000004
【図４】
0003755716.tif 000005
【図５】
0003755716.tif 000006